(57)【要約】【課題】ユーザの行動に柔軟に対応することが可能な保険内容決定システムを提供すること。【解決手段】この保険内容決定システム１０は、ユーザが使用する携帯電話機２０の現在位置を特定する位置情報を受信する位置情報受信部１０１と、当該受信した位置情報に基づいて、ユーザが位置する領域の危険度を決定する危険度決定部１０２と、当該決定した危険度に対応する保険内容をユーザに提案する候補として選択する保険選択部１０３と、当該選択した保険内容を携帯電話機２０に送信する保険送信部１０４と、を備える。【選択図】　図１
2004062335.tif 000002
【特許請求の範囲】
【請求項１】
ユーザが使用する通信端末の現在位置を特定する位置情報を受信する位置情報受信手段と、
当該受信した位置情報に基づいて、前記ユーザが位置する領域の危険度を決定する危険度決定手段と、
当該決定した危険度に対応する保険内容を前記ユーザに提案する候補として選択する保険選択手段と、
当該選択した保険内容を前記通信端末に送信する保険送信手段と、
を備える保険内容決定システム。
【請求項２】
前記送信した保険内容に基づいて前記通信端末から送信される、前記ユーザが特定した保険内容を受信する特定情報受信手段と、
当該受信した保険内容に基づいて、前記ユーザに対応する保険内容を決定する保険内容決定手段と、
当該決定した保険内容に応じて、当該保険内容に対応する保険料を課金する課金手段と、
を更に備える保険内容決定システム。
【請求項３】
位置情報受信手段が、ユーザが使用する通信端末の現在位置を特定する位置情報を受信する位置情報受信ステップと、
当該受信した位置情報に基づいて、危険度決定手段が前記ユーザが位置する領域の危険度を決定する危険度決定ステップと、
保険選択手段が、当該決定した危険度に対応する保険内容を前記ユーザに提案する候補として選択する保険選択ステップと、
保険送信手段が、当該選択した保険内容を前記通信端末に送信する保険送信ステップと、
を備える保険内容決定方法。
【請求項４】
特定情報受信手段が、前記送信した保険内容に基づいて前記通信端末から送信される、前記ユーザが特定した保険内容を受信する特定情報受信ステップと、
当該受信した保険内容に基づいて、保険内容決定手段が前記ユーザに対応する保険内容を決定する保険内容決定ステップと、
当該決定した保険内容に応じて、課金手段が当該保険内容に対応する保険料を課金する課金ステップと、
を更に備える保険内容決定方法。
【請求項５】
コンピュータを、
ユーザが使用する通信端末の現在位置を特定する位置情報を受信する位置情報受信手段と、
当該受信した位置情報に基づいて、前記ユーザが位置する領域の危険度を決定する危険度決定手段と、
当該決定した危険度に対応する保険内容を前記ユーザに提案する候補として選択する保険選択手段と、
当該選択した保険内容を前記通信端末に送信する保険送信手段と、
して機能させるための保険内容決定プログラム。
【請求項６】
コンピュータを、
前記送信した保険内容に基づいて前記通信端末から送信される、前記ユーザが特定した保険内容を受信する特定情報受信手段と、
当該受信した保険内容に基づいて、前記ユーザに対応する保険内容を決定する保険内容決定手段と、
当該決定した保険内容に応じて、当該保険内容に対応する保険料を課金する課金手段と、
して更に機能させるための保険内容決定プログラム。
【請求項７】
請求項５又は６に記載の保険内容決定プログラムが記録されたことを特徴とするコンピュータ読取可能な記録媒体。
【発明の詳細な説明】
【０００１】
【発明の属する技術分野】
本発明は、保険内容決定システム、保険内容決定方法、保険内容決定プログラム、及び、コンピュータ読取可能な記録媒体に関するものである。
【０００２】
【従来の技術】
損害保険には、自動車保険のように車の運転を行っていることに付帯する損害を補償するものや、火災保険のように特定の災害が起こったことに付帯する損害を補償するものがある。このような損害保険の保険料は、予め定められている補償内容に応じてユーザが申し込むときに決定されるものである。
【０００３】
【発明が解決しようとする課題】
従来の損害保険のシステムでは、例えば、自動車保険を申し込んだユーザが全く車の運転を行わなくても保険料が減額されることは無く、逆にユーザが危険な場所で運転を行ったとしても、そのことによって保険料が増額されることは無い。ところで、サッカーといったスポーツイベントには、その対戦カードによってフーリガンといった過激なサポータが来場することがあり、一般の観客がそれらフーリガンの騒動に巻き込まれることも考えられる。しかし、従来の損害保険のシステムでこのような事態に対応しようとすると、一律に保険料を設定することとなるので、例えば、ユーザ側の都合によって観戦ができなくなった場合であっても保険料が返還されることは無い。
【０００４】
そこで本発明では、ユーザの行動に柔軟に対応することが可能な、保険内容決定システム、保険内容決定方法、保険内容決定プログラム、及び、コンピュータ読取可能な記録媒体を提供することを課題とする。
【０００５】
【課題を解決するための手段】
本発明の保険内容決定システムは、ユーザが使用する通信端末の現在位置を特定する位置情報を受信する位置情報受信手段と、当該受信した位置情報に基づいて、ユーザが位置する領域の危険度を決定する危険度決定手段と、当該決定した危険度に対応する保険内容をユーザに提案する候補として選択する保険選択手段と、当該選択した保険内容を通信端末に送信する保険送信手段と、を備える。
【０００６】
本発明の保険内容決定方法は、位置情報受信手段が、ユーザが使用する通信端末の現在位置を特定する位置情報を受信する位置情報受信ステップと、当該受信した位置情報に基づいて、危険度決定手段がユーザが位置する領域の危険度を決定する危険度決定ステップと、保険選択手段が、当該決定した危険度に対応する保険内容をユーザに提案する候補として選択する保険選択ステップと、保険送信手段が、当該選択した保険内容を通信端末に送信する保険送信ステップと、を備える。
【０００７】
本発明の保険内容決定プログラムは、コンピュータを、ユーザが使用する通信端末の現在位置を特定する位置情報を受信する位置情報受信手段と、当該受信した位置情報に基づいて、ユーザが位置する領域の危険度を決定する危険度決定手段と、当該決定した危険度に対応する保険内容をユーザに提案する候補として選択する保険選択手段と、当該選択した保険内容を通信端末に送信する保険送信手段と、して機能させる。
【０００８】
本発明の保険内容決定システム又は本発明の保険内容決定方法によれば、ユーザの現在位置に基づいて決定される危険度に応じて提案する保険内容を選択できるので、ユーザがその現在位置に応じて必要としている保険内容をユーザが使用する通信端末に送信できる。またコンピュータを用いて本発明の保険内容決定プログラムを実行しても同様である。
【０００９】
また本発明の保険内容決定システムでは、送信した保険内容に基づいて通信端末から送信される、ユーザが特定した保険内容を受信する特定情報受信手段と、当該受信した保険内容に基づいて、ユーザに対応する保険内容を決定する保険内容決定手段と、当該決定した保険内容に応じて、当該保険内容に対応する保険料を課金する課金手段と、を更に備えることが好ましい。保険内容の候補に基づいてユーザが特定した保険内容を受信し、その特定した保険内容に基づいてユーザに適用する保険内容を決定するので、各ユーザの状況に対応した保険内容を決定できる。また、決定した保険内容に応じて課金するので、例えば、ユーザから新たに保険料を徴収することなく保険内容の変更に対応できる。
【００１０】
また本発明の保険内容決定方法では、特定情報受信手段が、送信した保険内容に基づいて通信端末から送信される、ユーザが特定した保険内容を受信する特定情報受信ステップと、当該受信した保険内容に基づいて、保険内容決定手段がユーザに対応する保険内容を決定する保険内容決定ステップと、当該決定した保険内容に応じて、課金手段が当該保険内容に対応する保険料を課金する課金ステップと、を更に備えることが好ましい。保険内容の候補に基づいてユーザが特定した保険内容を受信し、その特定した保険内容に基づいてユーザに適用する保険内容を決定するので、各ユーザの状況に対応した保険内容を決定できる。また、決定した保険内容に応じて課金するので、例えば、ユーザから新たに保険料を徴収することなく保険内容の変更に対応できる。
【００１１】
また本発明の保険内容決定プログラムでは、コンピュータを、送信した保険内容に基づいて通信端末から送信される、ユーザが特定した保険内容を受信する特定情報受信手段と、当該受信した保険内容に基づいて、ユーザに対応する保険内容を決定する保険内容決定手段と、当該決定した保険内容に応じて、当該保険内容に対応する保険料を課金する課金手段と、して更に機能させることが好ましい。コンピュータを用いて本発明の保険内容決定プログラムを実行すると、保険内容の候補に基づいてユーザが特定した保険内容を受信し、その特定した保険内容に基づいてユーザに適用する保険内容を決定するので、各ユーザの状況に対応した保険内容を決定できる。また、決定した保険内容に応じて課金するので、例えば、ユーザから新たに保険料を徴収することなく保険内容の変更に対応できる。
【００１２】
本発明のコンピュータ読取可能な記録媒体は、上記いずれかの保険内容決定プログラムが記録されている。コンピュータを用いて、本発明の記録媒体に記録された保険内容決定プログラムを実行すると、ユーザの現在位置に基づいて決定される危険度に応じて提案する保険内容を選択できるので、ユーザがその現在位置に応じて必要としている保険内容をユーザが使用する通信端末に送信できる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である保険内容決定システム１０について図１を用いて説明する。図１は保険内容決定システム１０を説明するための図である。保険内容決定システム１０は、無線通信網を介して携帯電話機（通信端末）２０と通信可能に構成されている。
【００１５】
携帯電話機２０は、データ通信機能を併せ持った携帯電話機であり、ＧＰＳ（Ｇｒｏｂａｌ　Ｐｏｓｉｔｉｏｎｉｎｇ　Ｓｙｓｔｅｍ）機能を搭載しており、自機の位置を把握し、その位置情報を取得することができる。尚、携帯電話機２０は、基地局信号を用いた基地局測位によってその位置情報を取得することができるようにしてもよい。また、携帯電話機の代わりに通信機能を持ったＰＤＡ（Ｐｅｒｓｏｎａｌ　Ｄｉｇｉｔａｌ　Ａｓｓｉｓｔａｎｃｅ）といった携帯情報端末であってもよく、情報通信可能な機器が広く適用可能となる。携帯電話機２０は、保険内容決定システム１０に自己の位置情報と、使用しているユーザを特定するためのユーザＩＤといった情報とを送信する。尚、携帯電話機２０から直接保険内容決定システム１０に位置情報を送信するのではなく、位置情報を計測するためのコンピュータシステムを介して送信する構成としてもよい。
【００１６】
保険内容決定システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。
【００１７】
保険内容決定システム１０は機能的な構成要素として、位置情報受信部（位置情報受信手段）１０１と、危険度決定部（危険度決定手段）１０２と、保険選択部（保険選択手段）１０３と、保険送信部（保険送信手段）１０４と、特定情報受信部（特定情報受信手段）１０５と、保険内容決定部（保険内容決定手段）１０６と、課金部（課金手段）１０７と、危険度情報格納部１１０と、保険情報格納部１１１と、ユーザ情報格納部１１２とを含む。引き続いて、各構成要素について詳細に説明する。
【００１８】
位置情報受信部１０１は、ユーザが使用する携帯電話機２０の現在位置を特定する位置情報を受信する部分である。より具体的には、携帯電話機２０がＧＰＳ機能といった測位機能を用いて測定する自己の位置を特定する緯度経度情報といった位置情報を、携帯電話機２０を使用するユーザを特定するためのユーザＩＤといった情報と共に受信する部分である。位置情報受信部１０１は、受信したユーザＩＤ及び位置情報を、危険度決定部１０２に出力する。
【００１９】
危険度決定部１０２は、位置情報受信部１０１が受信した位置情報に基づいて、ユーザが位置する領域の危険度を決定する部分である。より具体的には、位置情報受信部１０１から出力される位置情報に基づいて、危険度情報格納部１１０に格納されている危険度情報を検索し、その位置情報に対応する危険度を決定する。ここで、危険度情報格納部１１０に格納されている情報の例を図２を用いて説明する。図２に示す例に拠れば、危険度情報格納部１１０には領域情報と危険度情報とが関連付けられて格納されている。領域情報は中心位置を特定する緯度経度情報とその中心位置から領域の境界までの距離を特定する距離情報とからなる。また、危険度情報は、それぞれの領域がどれくらい危険な状態かを特定する情報である。本実施形態では、危険度Ａが最も危険な状態であるものとしている。危険度決定部１０２は決定した危険度を特定する危険度情報を、ユーザＩＤと共に保険選択部１０３に出力する。
【００２０】
保険選択部１０３は、危険度決定部１０２が決定した危険度に対応する保険内容をユーザに提案する候補として選択する部分である。より具体的には、危険度決定部１０２が出力する危険度情報に対応する保険内容を保険情報格納部１１１に格納されている情報から選択する。ここで、保険情報格納部１１１に格納されている情報の例を図３を用いて説明する。図３に示す例に拠れば、保険情報格納部１１１には、危険度情報と保険内容とが関連付けられて格納されている。保険内容は、保険名称と補償内容と保険料とからなる。また、危険度に応じて複数の保険内容を関連付けていてもよい。保険選択部１０３は選択した保険内容を、ユーザＩＤと共に保険送信部１０４に出力する。
【００２１】
保険送信部１０４は、保険選択部１０３が選択した保険内容を携帯電話機２０に送信する部分である。保険送信部１０４は、保険選択部１０３が出力するユーザＩＤによって特定される携帯電話機２０に、保険内容を送信する。この保険内容をユーザは携帯電話機２０を利用して確認できる。ユーザは、例えば複数の保険内容が候補に挙がっている場合には、一の保険内容を特定して保険内容決定システム１０に送信する。
【００２２】
特定情報受信部１０５は、保険送信部１０４が送信した保険内容に基づいて携帯電話機２０から送信される、ユーザが特定した保険内容をユーザＩＤといったユーザを特定する情報と共に受信する部分である。特定情報受信部１０５は受信したユーザＩＤ及び保険内容を保険内容決定部１０６に出力する。
【００２３】
保険内容決定部１０６は、特定情報受信部１０５が受信した保険内容に基づいて、ユーザに対応する保険内容を決定する部分である。より具体的には、特定情報受信部１０５から出力されるユーザＩＤ及び保険内容に基づいて、適宜保険情報格納部１１１に格納されている情報を参照して保険内容を決定し、ユーザＩＤと決定した保険内容とを課金部１０７に出力する。保険内容決定部１０６は、課金部１０７にユーザＩＤ及び保険内容を出力する際には保険料を含めるものとする。
【００２４】
課金部１０７は、保険内容決定部１０６が決定した保険内容に応じて、当該保険内容に対応する保険料を課金する部分である。より具体的には、ユーザ情報格納部１１２に格納されている情報に基づいて、ユーザＩＤによって特定されるユーザに保険料を課金する。ここでユーザ情報格納部１１２に格納されている情報の例を図４を用いて説明する。図４に示す例に拠れば、ユーザ情報格納部１１２には、ユーザＩＤと残高とが関連付けられて格納されている。残高とは、ユーザごとに予め納められている料金を示す情報であり、例えばユーザＩＤが「Ａ００１」のユーザは、あと１０００円分の保険料を払うことが可能である。課金部１０７は、例えば保険料が「２００円／時間」であれば、この残高から１時間ごとに２００円を引き落とす。保険内容決定システム１０は、各ユーザごとの残高が少なくなったり無くなったりした場合には、そのユーザに料金を納めるように促す機能を備えていてもよい。
【００２５】
引き続いて、保険内容決定システム１０を用いて保険内容を決定する方法について図５を用いて説明する。ユーザが使用する携帯電話機２０はＧＰＳ機能によって位置情報を取得し、ユーザＩＤと共に保険内容決定システム１０に送信する（ステップＳ０１）。携帯電話機２０が送信したユーザＩＤ及び位置情報は、保険内容決定システム１０の位置情報受信部１０１が受信する。位置情報受信部１０１は、その位置情報及びユーザＩＤを危険度決定部１０２に出力する（ステップＳ０２）。
【００２６】
位置情報及びユーザＩＤが出力されると、危険度決定部１０２はその位置情報及びユーザＩＤと、危険度情報格納部１１０に格納されている危険度情報とに基づいてユーザが位置する領域の危険度を決定し保険選択部１０３に出力する（ステップＳ０３）。
【００２７】
保険選択部１０３は、危険度決定部１０２が出力する危険度に対応する保険内容を保険情報格納部１１１に格納されている情報から選択し保険送信部１０４に出力する（ステップＳ０４）。保険送信部１０４は、保険選択部１０３が選択した保険内容を携帯電話機２０に送信する（ステップＳ０５）。この送信した保険内容は携帯電話機２０が受信する（ステップＳ０６）。
【００２８】
ユーザは、複数の保険内容が候補に挙がっている場合には、一の保険内容を特定してユーザＩＤと共に保険内容決定システム１０に送信する（ステップＳ０７）。この送信されたユーザＩＤ及び保険内容は、特定情報受信部１０５が受信して保険内容決定部１０６に出力する（ステップＳ０８）。
【００２９】
保険内容決定部１０６は、特定情報受信部１０５から出力されるユーザＩＤ及び保険内容に基づいて、適宜保険情報格納部１１１に格納されている情報を参照して保険内容を決定し、ユーザＩＤと決定した保険内容とを課金部１０７に出力する（ステップＳ０９）。
【００３０】
課金部１０７は、ユーザ情報格納部１１２に格納されている情報に基づいて、ユーザＩＤによって特定されるユーザに保険料を課金する（ステップＳ１０）。
【００３１】
次にコンピュータを、本実施形態の保険内容決定システム１０として機能させるための保険内容決定プログラム９２及びそれが記録されているコンピュータ読取可能な記録媒体９について説明する。図６は、保険内容決定プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３２】
記録媒体９は、図６に示すように、プログラムを記録するプログラム領域９１と、データを記録するデータ領域９３とを備えている。データ領域９３には、図１を用いて説明した危険度情報格納部１１０、保険情報格納部１１１、ユーザ情報格納部１１２のそれぞれと同様の危険度情報データベース９３１、保険情報データベース９３２、ユーザ情報データベース９３３が格納されている。
【００３３】
プログラム領域９１には、保険内容決定プログラム９２が記録されている。保険内容決定プログラム９２は、処理を統括するメインモジュール９２１と、位置情報受信モジュール９２２と、危険度決定モジュール９２３と、保険選択モジュール９２４と、保険送信モジュール９２５と、特定情報受信モジュール９２６と、
保険内容決定モジュール９２７と、課金モジュール９２８とを備える。ここで、位置情報受信モジュール９２２、危険度決定モジュール９２３、保険選択モジュール９２４、保険送信モジュール９２５、特定情報受信モジュール９２６、保険内容決定モジュール９２７、課金モジュール９２８のそれぞれを動作させることによって実現する機能は、上記保険内容決定システム１０の位置情報受信部１０１、危険度決定部１０２、保険選択部１０３、保険送信部１０４、特定情報受信部１０５、保険内容決定部１０６、課金部１０７のそれぞれの機能と同様である。
【００３４】
本実施形態においては、保険内容決定システム１０は、ユーザの現在位置に基づいて決定される危険度に応じて提案する保険内容を選択できるので、ユーザがその現在位置に応じて必要としている保険内容をユーザが使用する携帯電話機２０に送信できる。従ってユーザは、その提案される保険内容から自己の状況に適した保険内容を特定できる。更に保険内容決定システム１０は、保険内容の候補に基づいてユーザが特定した保険内容を受信し、その特定した保険内容に基づいてユーザに適用する保険内容を決定するので、各ユーザの状況に対応した保険内容を決定できる。また、決定した保険内容に応じて課金するので、例えば、ユーザから新たに保険料を徴収することなく保険内容の変更に対応できる。
【００３５】
【発明の効果】
本発明によれば、ユーザの現在位置に基づいて決定される危険度に応じて提案する保険内容を選択できるので、ユーザがその現在位置に応じて必要としている保険内容をユーザが使用する通信端末に送信できる。従って本発明の目的とする、ユーザの行動に柔軟に対応することが可能な、保険内容決定システム、保険内容決定方法、保険内容決定プログラム、及び、コンピュータ読取可能な記録媒体を提供することができた。
【図面の簡単な説明】
【図１】本発明の実施形態である保険内容決定システムを説明するための図である。
【図２】図１の危険度情報格納部に格納される情報の例を示した図である。
【図３】図１の保険情報格納部に格納される情報の例を示した図である。
【図４】図１のユーザ情報格納部に格納される情報の例を示した図である。
【図５】本発明の実施形態である保険内容決定システムを用いて保険内容を決定する方法を示したフローチャートである。
【図６】本発明の実施形態である保険内容決定プログラムを説明するための図である。
【符号の説明】
１０…保険内容決定システム、２０…携帯電話機、１０１…位置情報受信部、１０２…危険度決定部、１０３…保険選択部、１０４…保険送信部、１０５…特定情報受信部、１０６…保険内容決定部、１０７…課金部、１１０…危険度情報格納部、１１１…保険情報格納部、１１２…ユーザ情報格納部。
【図１】
2004062335.tif 000003
【図２】
2004062335.tif 000004
【図３】
2004062335.tif 000005
【図４】
2004062335.tif 000006
【図５】
2004062335.tif 000007
【図６】
2004062335.tif 000008